(57)【要約】      （修正有）【課題】洗掘防止材の移動防止を図った洗掘防止材の移動防止体を提供する。【解決手段】洗掘防止材の移動防止体は、構造物１０の基礎部分１１の水底に敷設された洗掘防止材１と、この洗掘防止材１の沖側の端部に取り付けられた透水性の錘２とを備えているものである。【選択図】図１
2017201094.tif 000002
【特許請求の範囲】
【請求項１】
構造物の基礎部分の水底に敷設された洗掘防止材と、この洗掘防止材の沖側の端部に取り付けられた透水性の錘とを備えている
ことを特徴とする洗掘防止材の移動防止体。
【請求項２】
洗掘防止材が透水性の洗掘防止用マットである
ことを特徴とする請求項１記載の洗掘防止材の移動防止体。
【請求項３】
防波堤等の構造物の基礎部分を保護するために、前記基礎部分の水底に洗掘防止材を敷設する洗掘防止材の敷設方法であって、
沖側の端部に取り付けられた透水性の錘を有する洗掘防止材を前記水底に敷設する敷設工程と、
この敷設工程の後、沖側から遠い側の前記洗掘防止材の端部を前記水底に固定する固定工程と、
この固定工程の後、前記洗掘防止材の上に前記基礎部分を形成する基礎形成工程と、
この基礎形成工程の後、前記基礎部分の上に、前記構造物を形成する構造物形成工程とを
備えていることを特徴とする洗掘防止材の敷設方法。
【発明の詳細な説明】
【技術分野】
【０００１】
本発明は、洗掘防止材の移動防止体及び洗掘防止材の敷設方法に係り、特に、洗掘防止材の移動防止を図った洗掘防止材の移動防止体及び洗掘防止材の敷設方法に関する。
【背景技術】
【０００２】
従来、構造物の基礎部分の水底に敷設された洗掘防止マットの沖側の端部に錘を取り付け、洗掘防止マットのめくれ等による移動防止を図ったものがある（例えば、特許文献１参照）。
【先行技術文献】
【特許文献】
【０００３】
【特許文献１】特開２００９−８４８０４号公報
【発明の概要】
【発明が解決しようとする課題】
【０００４】
しかしながら、上記の洗掘防止マットにあっては、大きな波浪があると、それに伴って、大きな揚圧力が洗掘防止マットの端部に取り付けられた錘に作用して、洗掘防止マットの先端が持ち上げられて、洗掘防止マットがめくれ等移動して洗掘防止マットが破損するという問題点が生じた。
【０００５】
本発明は、上記実情を考慮してなされた洗掘防止材の移動防止体及び洗掘防止材の敷設方法を提供することを目的とする。
【課題を解決するための手段】
【０００６】
請求項１記載の洗掘防止材の移動防止体は、構造物の基礎部分の水底に敷設された洗掘防止材と、この洗掘防止材の沖側の端部に取り付けられた透水性の錘とを備えているものである。
【０００７】
また、請求項２記載の洗掘防止材の移動防止体は、請求項１記載の洗掘防止材の移動防止体において、洗掘防止材が透水性の洗掘防止用マットである。
【０００８】
また、請求項３記載の洗掘防止材の敷設方法は、防波堤等の構造物の基礎部分を保護するために、前記基礎部分の水底に洗掘防止材を敷設する洗掘防止材の敷設方法であって、沖側の端部に取り付けられた透水性の錘を有する洗掘防止材を前記水底に敷設する敷設工程と、この敷設工程の後、沖側から遠い側の前記洗掘防止材の端部を前記水底に固定する固定工程と、この固定工程の後、前記洗掘防止材の上に前記基礎部分を形成する基礎形成工程と、この基礎形成工程の後、前記基礎部分の上に、前記構造物を形成する構造物形成工程とを備えているものである。
【発明の効果】
【０００９】
請求項１記載の洗掘防止材の移動防止体によれば、透水性の錘で、錘内を海水が通過するため、波浪による揚圧力が軽減され、洗掘防止材の先端が持ち上げられて、洗掘防止材が移動して、破損することが防止され、洗掘防止材の機能を保持することができる。
【００１０】
また、請求項２記載の洗掘防止材の移動防止体によれば、上述した請求項１記載の発明の効果に加え、洗掘防止材が透水性の洗掘防止用マットであるため、洗掘防止用マットが不透水性に比べ、洗掘防止用マットを海水が通過する分、波浪による揚圧力が軽減され、洗掘防止用マットが持ち上げられて、破損等することが防止され、洗掘防止用マットの機能を保持することができる。
【００１１】
また、請求項３記載の洗掘防止材の敷設方法によれば、沖側の端部に取り付けられた透水性の錘を有する洗掘防止材を前記水底に敷設する敷設工程を有するため、透水性の錘を利用して、洗掘防止材の沖側の端部を所定位置に容易に保持させ、洗掘防止材の敷設工事を容易にすることができる。
【図面の簡単な説明】
【００１２】
【図１】図１は、本発明の一実施例の洗掘防止材の移動防止体の概略的断面図である。
【図２】図２は、図１の透水性の錘の概略的斜視図である。
【発明を実施するための形態】
【００１３】
本発明の一実施例の洗掘防止材の移動防止体及び洗掘防止材の敷設方法を図面を参照して説明する。
洗掘防止材の移動防止体は、構造物１０の基礎部分１１の水底に敷設された洗掘防止材（洗掘防止材は、例えば、洗掘防止用マット）１と、この洗掘防止材１の沖側の端部に取り付けられた透水性の錘２とを備えている。
図２に示す２１は、連結部で、透水性の錘２と洗掘防止材１とは、図示しないが、ファスナー、ロープ、穴あきベルト等の連結部材を使用して連結部２１を介して接続する。
【００１４】
構造物１０は、例えば、突堤、人工リーフ、護岸堤等である。洗掘防止材（洗掘防止材は、例えば、洗掘防止用マット）１は、洗掘防止材１の下の砂等が波浪による洗掘を防止するもので、例えば、アスファルト系、合成繊維、合成樹脂、幌布等で形成され、透水性、不透水性のものがある。
また、透水性の錘２は、例えば、図２に示すように、網篭［網篭は、例えば、２ｍ×２ｍ×０．５ｍの略直方体形状］内に中詰め石（充填する石の粒径は、例えば、５０ｍｍ〜１５０ｍｍ、２００ｍｍ〜３０００ｍｍ等）、ブロック状のコンクリートに穴を開けたもの等である。
上述した実施例の洗掘防止材１の例として、洗掘防止用マットを示したが、本願発明にあっては、これに限らず、洗掘防止材１として、図示しないが、袋体に中詰め石を充填したもの、網篭に中詰め石を充填したもの等でも良い。
【００１５】
従って、上述した洗掘防止材の移動防止体によれば、透水性の錘２で、錘２内を海水が通過するため、波浪による揚圧力が軽減され、洗掘防止材１の先端が持ち上げられて、洗掘防止材の移動防止体１がめくれ等による移動に起因する破損が防止され、洗掘防止材の移動防止体１の機能を保持することができる。
特に、洗掘防止材の移動防止体１が透水性の洗掘防止用マットであると、洗掘防止材の移動防止体１が不透水性のものに比べ、洗掘防止材の移動防止体１を海水が通過する分、波浪による揚圧力が軽減され、洗掘防止材の移動防止体１が持ち上げられて、洗掘防止材の移動防止体１がめくれ等による移動に起因する破損が防止され、洗掘防止材の移動防止体１の機能を保持することができる。
【００１６】
次に、防波堤等の構造物１０の基礎部分１１を保護するために、基礎部分１０の水底に洗掘防止材（洗掘防止材は、例えば、洗掘防止用マット）１を敷設する洗掘防止材の敷設方法について、説明する。
洗掘防止材１の沖側の端部に取り付けられた透水性の錘２を有する洗掘防止材１を水底に敷設する（敷設工程）。
敷設工程においては、透水性の錘２を有する洗掘防止材１を水底に敷設しても良いが、透水性の錘２を水底に敷設し、その後、洗掘防止材１を敷設し、その後、透水性の錘２と洗掘防止材１とを図示しない連結部材（ファスナー、ロープ、穴あきベルト等）連結して行う。
この敷設工程の後、沖側から遠い側の洗掘防止材１の端部を前記水底に固定する（固定工程）。固定は、例えば、アンカ−３を打ち込んで行う。
この固定工程の後、洗掘防止材１の上に基礎部分１１を形成する（基礎形成工程）。基礎部分１１は、例えば、石を積み上げたものである。
この基礎形成工程の後、基礎部分１１の上に、構造物１０を形成する（構造物形成工程）ものである。
その結果、上述した洗掘防止材の敷設方法によれば、沖側の端部に取り付けられた透水性の錘２を有する洗掘防止材１を水底に敷設する敷設工程を有するため、透水性の錘２を利用して、洗掘防止材１の沖側の端部を所定位置に容易に保持させ、洗掘防止材１の敷設工事を容易にすることができる。
【符号の説明】
【００１７】
１      洗掘防止材（例えば、洗掘防止用マット）
２      透水性の錘
１０    構造物
１１    基礎部分
【図１】
2017201094.tif 000003
【図２】
2017201094.tif 000004